(57)【要約】      （修正有）【課題】組立が容易で、かつ、皿部材がたわみづらい化粧用品収納容器を提供する。【解決手段】化粧用品２を保持するとともに下部に係合穴を備える皿部材４と、前記係合穴に挿入される作動ピン５が貫通する皿部材用ガイド溝６を有するとともに、身部材７に設けられた回転制御部８が係合する身部材用切割り溝９を有する内筒部材１０と、前記作動ピンが係合する誘導溝１１を備える。前記内筒部材は、屈曲部１４に前記皿部材の作動ピンが当接し、前記皿部材と同調して上昇するとともに、前記回転制御部が前記傾斜部まで移動すると、前記傾斜部により前記内筒部材が円周方向に回転し、前記誘導溝と前記皿部材用ガイド溝とが略重る状態となり、これにより前記皿部材のみが上昇することを特徴とする。【選択図】図１
2020156829.tif 000002
【特許請求の範囲】
【請求項１】
化粧用品を保持するとともに下部に係合穴を備える皿部材と、前記係合穴に挿入される作動ピンが貫通する皿部材用ガイド溝を有するとともに、身部材に設けられた回転制御部が係合する身部材用切割り溝を有する内筒部材と、前記作動ピンが係合する誘導溝を備えるとともに、その内周面に前記身部材用切割り溝に係合する前記回転制御部を有する前記身部材と、前記皿部材用ガイド溝及び前記誘導溝を貫通して前記係合穴に一端部が挿入され、前記身部材の外周面よりも外側に他端部が突出する前記作動ピンとで構成され、前記皿部材用ガイド溝は、その下部にクランク状の屈曲部を有するように形成され、前記身部材用切割り溝は、その下部に円周方向に傾斜する傾斜部を有し、前記作動ピンを押し上げて前記皿部材を上昇させると、前記内筒部材は、前記屈曲部に前記皿部材の作動ピンが当接し、前記皿部材と同調して上昇するとともに、前記回転制御部が前記傾斜部まで移動すると、前記傾斜部により前記内筒部材が円周方向に回転し、前記誘導溝と前記皿部材用ガイド溝とが略重る状態となり、これにより前記皿部材のみが上昇する化粧用品収納容器。
【請求項２】
前記身部材用切割り溝には、前記傾斜部の下端部からさらに円周方向に延在する係止部が形成されており、皿部材を上昇させた場合には、前記係止部に回転制御部が入り込むことを特徴とする請求項１に記載の化粧用品収納容器。
【請求項３】
前記誘導溝には、その上端部から所定間隔を隔てた下方に、前記作動ピンを支持する少なくとも１つの保持手段が形成されており、この保持手段に作動ピンを支持させることにより、前記皿部材を上死点よりも下方の位置に保持できることを特徴とする請求項１又は請求項２のいずれかに記載の化粧用品収納容器。
【請求項４】
化粧用品を保持するとともに下部に係合部を備える皿部材と、前記係合部が係合する皿部材用ガイド溝を有するとともに、身部材に設けられた回転制御部が係合する身部材用切割り溝を有する内筒部材と、前記係合部が係合する誘導溝を備えるとともに、その内周面に前記身部材用切割り溝に係合する前記回転制御部を有する前記身部材と、前記係合部が係合するとともに、皿部材を上下方向に移動させる螺旋溝が内周面に形成された螺旋部材と、前記身部材の下端部に設けられたハカマ部材とで構成され、前記皿部材用ガイド溝は、その下部にクランク状の屈曲部を有するように形成され、前記身部材用切割り溝は、その下部に円周方向に傾斜する傾斜部及び該傾斜部の下端部からさらに円周方向に延在する係止部を有し、前記螺旋部材を回転させて前記皿部材を上昇させると、前記内筒部材は、前記屈曲部に前記皿部材の係合部が当接し、前記皿部材と同調して上昇するとともに、前記回転制御部が前記傾斜部まで移動すると、前記傾斜部により前記内筒部材が円周方向に回転し、前記誘導溝と前記皿部材用ガイド溝とが略重る状態となり、これにより前記皿部材のみが上昇し、皿部材が上昇した際には、前記係止部に回転制御部が入り込む化粧用品収納容器。
【請求項５】
前記身部材の上端部には、開閉自在な蓋体が設けられ、該蓋体は付勢手段により蓋が閉じる方向に付勢されていることを特徴とする請求項１乃至請求項４のいずれかに記載の化粧用品収納容器。
【請求項６】
前記付勢手段は、前記身部材の上部及び前記蓋体に形成された１対の係止片と、該１対の係止片に係止された環状の弾性体とで構成されていることを特徴とする請求項５に記載の化粧用品収納容器。
【発明の詳細な説明】
【技術分野】
【０００１】
本発明は、化粧ブラシ等の化粧用具及び口紅等の化粧品を保持する化粧用品収納容器に関する。
【背景技術】
【０００２】
従来、棒状化粧料や化粧用具を収納する化粧用品収納容器において内筒部材が上昇し、その後に皿部材が上昇して化粧用具等が露出するものとしては、「棒状化粧品を出没自在に収納する棒状化粧品容器において、棒状化粧品の下部を保持する受皿と、この受皿を上下方向へ摺動自在に内装し、棒状化粧品の少なくとも上端部を収納するスリーブと、このスリーブを上下方向へ摺動自在に内装すると共に、上端に開口部を有する中筒と、この中筒に対して軸方向への摺動を抑止すると共に、周方向へは回動自在に外装した外筒と、前記中筒の開口部端に開閉自在に装着したキャップと、前記外筒又は中筒に対して中筒又は外筒を回動させることにより、前記スリーブを棒状化粧品に先立って開口部から繰り出し、その先端で前記キャップを開放すると共に、最終的にはスリーブと棒状化粧品とを中筒の開口部から突出させる位置まで繰り出す昇降機構と、を具備し、前記昇降機構が、前記受皿の筒壁外面に突設した第一突子と、前記スリーブの筒壁軸方向に沿って透設した第一案内溝及び筒壁外面に突設した第二突子と、スリーブ側の上記第一案内溝に重なるように前記中筒の筒壁軸方向に沿って透設した第二案内溝及び前記第二突子を係合させるべく前記中筒の筒壁軸方向に沿って透設したカム溝と、前記外筒の筒壁内面に前記スリーブ側の第一案内溝及び中筒側の第二案内溝に同時に貫通させた受皿側の前記第一突子の先端を係合させるように刻設した螺溝と、によって構成し、前記カム溝は、前記中筒の筒壁軸方向に沿って透設した案内部及び該案内部の上端側に筒壁の周方向の一側上方へ屈曲して連続するカム部を具備し、前記第一案内溝は、下端部に周方向へ切り欠いて連設したＬ部を具備し、前記棒状化粧品の収納時には、前記Ｌ部内に前記受皿の前記第一突子を係合させることを特徴とする棒状化粧品容器。」が知られている（特許文献１）。
【０００３】
しかしながら、上記特許文献１に記載されている公知発明は、組み立てるために受皿の下部に対向するように切り欠きを有しているため、受皿の剛性が低くなってしまい、受皿がたわみやすくなってしまうことで、受皿の第一突子が螺溝から外れてしまい、化粧用具等のくり出しができなくなるという欠点があった。
【先行技術文献】
【特許文献】
【０００４】
【特許文献１】特許第３８９２９２４号公報
【発明の概要】
【発明が解決しようとする課題】
【０００５】
本発明は以上のような従来の欠点に鑑み、組立が容易で、かつ、皿部材がたわみづらい化粧用品収納容器を得ることを目的としている。
【課題を解決するための手段】
【０００６】
上記目的を達成するために、本発明の請求項１に記載の化粧用品収納容器は、化粧用具を保持するとともに下部に係合穴を備える皿部材と、前記係合穴に挿入される作動ピンが貫通する皿部材用ガイド溝を有するとともに、身部材に設けられた回転制御部が係合する身部材用切割り溝を有する内筒部材と、前記作動ピンが係合する誘導溝を備えるとともに、その内周面に前記身部材用切割り溝に係合する前記回転制御部を有する前記身部材と、前記皿部材用ガイド溝及び前記誘導溝を貫通して前記係合穴に一端部が挿入され、前記身部材の外周面よりも外側に他端部が突出する前記作動ピンとで構成され、前記皿部材用ガイド溝は、その下部にクランク状の屈曲部を有するように形成され、前記身部材用切割り溝は、その下部に円周方向に傾斜する傾斜部を有し、前記作動ピンを押し上げて前記皿部材を上昇させると、前記内筒部材は、前記屈曲部に前記皿部材の作動ピンが当接し、前記皿部材と同調して上昇するとともに、前記回転制御部が前記傾斜部まで移動すると、前記傾斜部により前記内筒部材が円周方向に回転し、前記誘導溝と前記皿部材用ガイド溝とが略重る状態となり、これにより前記皿部材のみが上昇することを特徴とする。
【０００７】
請求項２に記載の化粧用品収納容器の前記身部材用切割り溝には、前記傾斜部の下端部から円周方向に延在する係止部が形成されていることを特徴とする。
【０００８】
請求項３に記載の化粧用品収納容器の前記誘導溝には、その上端部から所定間隔を隔てた下方に、前記作動ピンを支持する少なくとも１つの保持手段が形成されており、この保持手段に作動ピンを支持させることにより、前記皿部材を上死点よりも下方の位置に保持できることを特徴とする。
【０００９】
請求項４に記載の化粧用品収納容器は、化粧用具を保持するとともに下部に係合部を備える皿部材と、前記係合部が係合する皿部材用ガイド溝を有するとともに、身部材に設けられた回転制御部が係合する身部材用切割り溝を有する内筒部材と、前記係合部が係合する誘導溝を備えるとともに、その内周面に前記身部材用切割り溝に係合する前記回転制御部を有する前記身部材と、前記係合部が係合するとともに、皿部材を上下方向に移動させる螺旋溝が内周面に形成された螺旋部材と、前記身部材の下端部に設けられたハカマ部材とで構成され、前記皿部材用ガイド溝は、その下部にクランク状の屈曲部を有するように形成され、前記身部材用切割り溝は、その下部に円周方向に傾斜する傾斜部及び該傾斜部の下端部から円周方向に延在する係止部を有し、前記螺旋部材を回転させて前記皿部材を上昇させると、前記内筒部材は、前記屈曲部に前記皿部材の係合部が当接し、前記皿部材と同調して上昇するとともに、前記回転制御部が前記傾斜部まで移動すると、前記傾斜部により前記内筒部材が円周方向に回転し、前記誘導溝と前記皿部材用ガイド溝とが略重る状態となり、これにより前記皿部材のみが上昇し、皿部材が上昇した際には、前記係止部に回転制御部が入り込むことを特徴とする。
【００１０】
請求項５に記載の化粧用品収納容器の前記身部材の上端部には、開閉自在な蓋体が設けられ、該蓋体は付勢手段により蓋が閉じる方向に付勢されていることを特徴とする。
請求項６に記載の化粧用品収納容器の前記付勢手段は、前記身部材の上部及び前記蓋体に形成された１対の係止片と、該１対の係止片に係止された環状の弾性体とで構成されていることを特徴とする。
【発明の効果】
【００１１】
以上の説明から明らかなように、本発明にあっては次に列挙する効果が得られる。
（１）請求項１に記載の発明においては、皿部材用ガイド溝等を貫通して作動ピンを係合穴に挿入すればよいので、身部材や内筒部材をたわませることなく容易に組み立てることができる。
（２）作動ピンを外部から皿部材の係合穴に挿入できるため、皿部材に切り欠き等を形成する必要がなく、皿部材の剛性を確保することができ、皿部材をたわみづらくすることができる。
したがって、化粧用具に皿部材のたわみによる影響を与えることなく保持することができる。
（３）請求項２及び請求項４に記載された各発明も前記（１）、（２）と同様な効果が得られるとともに、身部材用切割り溝の前記傾斜部の下端部から円周方向に延在する係止部を有しているので、皿部材を上死点付近まで移動させた後、上部から下方へ荷重が加えられても係止部に回転制御部が当接し、傾斜部に回転制御部が移動して内筒部材が回転し、作動ピンが挟まれて作動が悪くなることを防止できる。
（４）請求項３に記載された発明も前記（１）〜（３）と同様な効果が得られるとともに、皿部材を上死点よりも下方の位置で保持できるので、化粧用品の突出量を調整して使用することができる。
（５）請求項５及び請求項６に記載された各発明についても、（３）と同様な効果が得られるとともに、蓋体を有することにより、ゴミやホコリが入り込むことを防止することができる。
【図面の簡単な説明】
【００１２】
図１乃至図１０は本発明の第１の実施形態を示す説明図である。
図１１乃至図１９は本発明の第２の実施形態を示す説明図である。
図２０乃至図２３は本発明の第３の実施形態を示す説明図である。
【図１】第１実施形態の化粧用品収納容器の縦断面図。
【図２】皿部材の正面図。
【図３】内筒部材の正面図。
【図４】内筒部材の背面図。
【図５】身部材の正面図。
【図６】身部材の縦断面図。
【図７】皿部材、内筒部材及び身部材の分解斜視図。
【図８】付勢手段の説明図。
【図９】内筒部材を上死点まで上昇させた状態の説明図。
【図１０】皿部材を上死点まで上昇させた状態の説明図。
【図１１】第２実施形態の化粧用品収納容器の縦断面図。
【図１２】皿部材の正面図。
【図１３】内筒部材の正面図。
【図１４】内筒部材の背面図。
【図１５】身部材の正面図。
【図１６】身部材の縦断面図。
【図１７】皿部材、内筒部材及び身部材の分解斜視図。
【図１８】内筒部材を上死点まで上昇させた状態の説明図。
【図１９】皿部材を上死点まで上昇させた状態の説明図。
【図２０】第３実施形態の化粧用品収納容器の縦断面図。
【図２１】身部材の正面図。
【図２２】皿部材を上昇させ、保持手段に作動ピンを係合させた状態の説明図。
【図２３】皿部材を上死点まで上昇させた状態の説明図。
【発明を実施するための形態】
【００１３】
以下、図面に示す本発明を実施するための形態により、本発明を詳細に説明する。
図１乃至図１０に示す本発明を実施するための第１の形態において、１は本発明の化粧ブラシ等の化粧用具２や口紅等の化粧品２（これらを合わせて化粧用品２という）を収納する化粧用品収納容器（以下、「収納容器」という）である。
【００１４】
この収納容器１は、例えば図１に示すように、化粧用品２、本実施形態では、化粧用具２を保持するとともに下部に係合穴３を備える皿部材４と、前記係合穴３に挿入される作動ピン５が貫通する上下方向の皿部材用ガイド溝６を有するとともに、身部材７に設けられた突起状の回転制御部８が係合する上下方向の身部材用切割り溝９を有する内筒部材１０と、前記作動ピン５が係合する誘導溝１１を備えるとともに、その内周面に前記身部材用切割り溝９に係合する前記回転制御部８を有する前記身部材７と、前記皿部材用ガイド溝６及び前記誘導溝１１を貫通して前記係合穴３に一端部が挿入され、前記身部材７の外周面よりも外側に他端部が突出する前記作動ピン５とで構成されている。
【００１５】
皿部材４は、図２に示すように、本実施形態では樹脂製で円筒形状に形成され、内部の上端部よりの部位に略水平の隔壁１２が設けられている。この隔壁１２の上部空間側が化粧用具２等を保持する保持部１３となっている。
【００１６】
皿部材４の外周壁の下端部付近あるいは下端部よりの位置には、前記係合穴３が設けられている。この係合穴３は、本実施形態では円形に形成されている。
【００１７】
内筒部材１０は、図３及び図４に示すように、本実施形態では金属製で、皿部材４の外周部分を覆うパイプ状の部材である。この内筒部材１０は、上部が斜めに切り欠かれた略円筒形状の部材で、その側面には、皿部材用ガイド溝６及び身部材用切割り溝９が形成されている。
【００１８】
皿部材用ガイド溝６は、内筒部材１０の上下方向の略中間部位に、その垂直部６ａの上端部が位置し、内筒部材１０の下端部付近に水平部１４ａを有するクランク状の屈曲部１４が形成されており、本実施形態では、上端部付近にも屈曲部１４が形成されている。したがって、外観上全体として略Ｚ形状の皿部材用ガイド溝となっている。
【００１９】
この屈曲部１４は、通常時（化粧用具２や皿部材４が下限の位置に位置する時）において、作動ピン５が屈曲部１４の水平部１４ａに位置するように形成されている。
【００２０】
身部材用切割り溝９は、本実施形態の説明では、皿部材用ガイド溝６と略対向する部位に設けられており、内筒部材１０の上下方向の略中間部位で、皿部材用ガイド溝６の上端部よりも上方に上端部が位置し、略鉛直下方へ延在し、下部に円周方向に傾斜する傾斜部１５が形成されており、通常時において、その下端部が前記屈曲部１４の水平部１４ａ付近に位置するように形成されている。
【００２１】
身部材用切割り溝９には、本実施形態では、内筒部材１０の内周面に形成された突起状の回転制御部８が挿入され、通常状態においてはこの回転制御部８が身部材用切割り溝９の略上端部付近に位置する。
【００２２】
身部材７は、図５及び図６に示すように、本実施形態では樹脂製で、内筒部材１０の外周を覆う部材である。
【００２３】
この身部材７は、例えば図５で示すように、上部がやや大径となる略円筒形状に形成されており、その外周部には身部材６の下端部付近まで達する誘導溝１１が形成されている。
【００２４】
この誘導溝１１は、本実施形態では、略逆Ｌ字状で、この誘導溝１１及び皿部材用ガイド溝６を貫通して作動ピン５が係合穴３に挿入される。
【００２５】
この作動ピン５は、本実施形態では、大径のヘッド部１６と小径で軸状の軸部１７から構成されており、この軸部１７が誘導溝１１及び皿部材用ガイド溝６を貫通し、係合穴３に挿入される。この作動ピン５に軸部１７と係合穴３は、接着、嵌合、圧入、螺合等により固定されることが望ましい。
【００２６】
このヘッド部１６は身部材７の外方に位置し、使用者の指等により操作され、その操作により皿部材４や内筒部材１０が上下移動する。
【００２７】
また、身部材７の上部には、蓋体１８を取り付けるための蓋体取付部１９が形成されている。本実施形態では、身部材７の上部の蓋体取付部１９付近に一方の係止片２０が設けられている。
【００２８】
蓋体１８は、樹脂製で蓋体取付部１９に取り付けられる取付片２１が形成されており、この取付片２１は前記蓋体取付部１９に軸２２により回転可能に軸支される。この軸２２を中心として蓋体１８が回転することにより、身部材７の上部の開口を開閉する。
【００２９】
また、蓋体１８の取付片２１付近の底面には、前記一方の係止片２０と対となる他方の係止片２３が形成されている。本実施形態では、図８に示すように蓋体１８を閉じる方向に付勢する付勢手段２４は、これら１対の係止片２０、２３と、この１対の係止片２０、２３に係止された環状の弾性体２５とで構成されている。この弾性体２５は、蓋体１８が開いた際には弾性体２５が伸長し、蓋体に閉じる方向に付勢力を付与する。
【００３０】
本願発明の収納容器１を使用する場合の皿部材４、内筒部材１０及び身部材７の動きを説明する。作動ピン５が下死点の位置においては、作動ピン５は、皿部材用ガイド溝６の水平部１４ａに位置しており、誘導溝１１に沿って上方に移動させることによって皿部材４及び内筒部材１０が上昇する。
【００３１】
ところで、内筒部材１０は単に作動ピン５で押し上げられているだけであり、また、身部材７の回転制御部８が身部材用切割り溝９に挿入されているため、回転することなく上方へ移動する。
【００３２】
内筒部材１０が上方へ移動する際に、その上端部が蓋体１８を押し上げて身部材７の上端部を開口させる。
【００３３】
そのまま作動ピン５を上方へ移動させ続け、前記回転制御部８が身部材用切割り溝９の傾斜部１５まで移動すると、回転制御部８が内筒部材１０の傾斜部１５へ侵入し、それにより内筒部材１０が少し回転して内筒部材１０の上死点に達する。
【００３４】
そうすると、内筒部材８の上昇が停止するとともに、前記誘導溝１１の垂直部１１ａと前記皿部材用ガイド溝６の垂直部６ａとが略重なる。これに伴って皿部材４の係合穴３に挿入された作動ピン５の軸部１７は、屈曲部１４の水平部１４ａから皿部材用ガイド溝６の垂直部６ａの下端部（下死点）へと移動する。
【００３５】
蓋体１８は、前述したように、内筒部材１０と皿部材４が同調して上方へ移動した際に、内筒部材１０の上端部に押圧されることにより、付勢手段２４の付勢力に抗して回転して開状態となり、内筒部材１０が上死点に位置している状態では、蓋体１８は内筒部材１０の外周面に当接しており、化粧用具２に影響を与えることなく開状態を維持する。
この状態で作動ピン５をさらに上昇させることで、内筒部材１０はその位置に留まり、皿部材４のみが上昇し、図１０に示すように化粧用具２が露出する。
【００３６】
使用後化粧用具２を収納する場合は、作動ピン５を下方へ移動させて皿部材４を下降させる。皿部材４の係合穴３に挿入された作動ピン５の軸部１７が前記皿部材用ガイド溝６の垂直部６ａの下端部（屈曲部１４）まで達すると、内筒部材１０が作動ピン５の軸部１７により下方へ押圧され、内筒部材１０が皿部材４と同調して下方へ移動し始める。そうすると、内筒部材１０は身部材用切割り溝９の傾斜部１５により回転し、その後回転することなく下限の位置まで移動し、通常状態に復帰する。
【００３７】
蓋体１８は内筒部材１０が身部材７の内部に入る際に付勢手段２４により回転し、身部材７の上部開口を塞ぐ。
【００３８】
[発明を実施するための異なる形態]
次に、図１１乃至図２２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３９】
図１１乃至図１９に示す本発明を実施するための第２の形態において、前記本発明を実施するための第１の形態と主に異なる点は、下部に係合穴３を有さず係合部２７（たとえば略円柱状の係合ピン）を有する皿部材４Ａを用い、この係合部２７に挿入され、皿部材４を上下方向に移動させる螺旋溝２８が内周面に形成された螺旋部材２９と、身部材７Ａの下端部に設けられたハカマ部材３０とを用いるとともに、傾斜部１５に連続するように、傾斜部１５の下端部からさらに円周方向に延在する係止部３１を有する身部材用切割り溝９Ａを形成し、水平部１４ａに連続するように皿部材用傾斜部３２を形成した屈曲部１４Ａを有する皿部材用ガイド溝６Ａを形成した内筒部材１０Ａにした点で、このような収納容器１Ａにしても前記本発明を実施するための第１の形態の収納容器と同様な作用効果が得られる。
【００４０】
すなわち、この収納容器１Ａは、化粧用具２を保持するとともに下部に係合部２７を有する皿部材４Ａと、該皿部材４Ａの係合部２７が係合（挿入）される皿部材用ガイド溝６Ａを有するとともに、回転制御部８が係合（挿入）する身部材用切割り溝９Ａを有する内筒部材１０Ａと、前記皿部材４Ａの係合部２７が係合（挿入）される誘導溝１１を有するとともに、その内周面に前記身部材用切割り溝９Ａに係合（挿入）される回転制御部８を有し、蓋体取付部１９付近にアーム挿入孔３３が形成された身部材７Ａと、前記皿部材４Ａの係合部２７が挿入され、皿部材４Ａを上下方向に移動させる螺旋溝２８が内周面に形成された螺旋部材２９と、身部材７Ａの下端部に設けられたハカマ部材３０と、前記身部材７Ａの上端部に設けられた蓋体１８とで構成されている。
【００４１】
ところで、本実施形態の皿部材用ガイド溝６Ａや誘導溝１１は、その下端部が内筒部材１０Ａや身部材７Ａの下端部まで達するように形成することが望ましい。そのように形成することにより、係合部２７を皿部材用ガイド溝６Ａや誘導溝１１に容易に挿入することができる。
【００４２】
身部材用切割り溝９Ａの傾斜部１５の下端部から円周方向に略水平に延在する係止部３１を形成することにより、皿部材４Ａを上昇させた際に皿部材用傾斜部３２の作用により突起状の回転制御部８が入り込むため、係止部３１に回転制御部８が入り込んでいる状態で内筒部材１０Ａ等に上方から力が加わっても、係止部３１がその荷重を受けることができ回転制御部８が傾斜部１５へ入り込むことを防止できる。
【００４３】
そのため、内筒部材１０Ａが傾斜部１５に沿って回転し、皿部材用ガイド溝６Ａと誘導溝１１に係合部２７が挟まれ、係合部２７の上下動が妨げられることを防止できる。
【００４４】
ところで、前記螺旋部材２９は、本実施形態の説明では、下部の外径が小径となる段付きの円筒形状に形成され、その内周面には螺旋溝２８が形成されている。この螺旋部材２９は、身部材７Ａの大径部分以外の外周を覆う部材である。
【００４５】
前記螺旋溝２８には、皿部材４の係合部２７が皿部材用ガイド溝６Ａ及び誘導溝１１を通過（貫通）して挿入され、螺旋部材２９を回転させることにより係合部２７が螺旋溝２８によって押し上げられ、皿部材４Ａが上方へ持ち上げられる。
【００４６】
ハカマ部材３０は、本実施形態の説明では、有底の円筒形状に形成されており、身部材７Ａの下端部がハカマ部材３０内部に挿入された状態で取り付けられる。螺旋部材２９の下部の小径部分の外周は、このハカマ部材３０の上部部位によって覆われる。
【００４７】
なお、本実施形態では、蓋体１８と身部材７Ａに形成された１対のアーム挿入孔３３と、この１対のアーム挿入孔３３にアームがそれぞれ挿入されるとともに軸２２に軸支されたねじりバネ３４とで蓋体１８を付勢する付勢手段２４Ａを構成している。
【００４８】
このような収納容器１Ａを使用する場合の皿部材４Ａ、内筒部材１０Ａ及び身部材７Ａ等の動きを説明する。係合部２７が下死点の位置においては、皿部材４Ａの係合部２７は、皿部材用ガイド溝６Ａの屈曲部１４Ａの水平部１４ａに位置するとともに、身部材用切割り溝９Ａには回転制御部８が挿入されている状態なので、内筒部材１０Ａは身部材７Ａに対して回転せず、皿部材４Ａの係合部２７は前記水平部１４ａから動かない状態である。
【００４９】
前記螺旋部材２９を回転させることにより、皿部材４Ａの係合部２７が螺旋溝２８に沿って持ち上げられ皿部材４Ａが上昇する。この時、皿部材４Ａの係合部２７は身部材７Ａの誘導溝１１に挿入されているので、回転することなく上方に移動する。
【００５０】
また、前記内筒部材１０Ａは、屈曲部１４Ａの水平部１４ａに皿部材４Ａの係合部２７が当接しているので、皿部材４Ａが内筒部材１０Ａを押し上げ、皿部材４Ａと内筒部材１０Ａとが同調して上昇する。内筒部材１０Ａは単に係合部２７で押し上げられているだけであり、また、身部材７Ａの回転制御部８が身部材用切割り溝９Ａに挿入されているため、回転することなく上方へ移動する。
【００５１】
この時、内筒部材１０Ａが蓋体１８を押し上げて身部材７Ａの上端部を開口させる。
そのまま螺旋部材２９を回転させ続け、前記回転制御部８が身部材用切割り溝９Ａの傾斜部１５まで移動すると、回転制御部８が内筒部材１０Ａの傾斜部１５へ侵入し、それにより内筒部材１０Ａが少し回転して内筒部材１０Ａの上死点に達する。
【００５２】
そうすると、内筒部材１０Ａの上昇が停止するとともに、前記誘導溝１１の垂直部１１ａと前記皿部材用ガイド溝６Ａの垂直部６ａとが略重なる。これに伴って皿部材４Ａの係合部２７は、屈曲部１４の水平部１４ａから皿部材用ガイド溝６Ａの垂直部６ａの下端部（下死点）へと移動する。
【００５３】
蓋体１８は、前述したように、内筒部材１０Ａと皿部材４Ａが同調して上方へ移動した際に、内筒部材１０Ａの上端部に押圧されることにより、付勢手段２４Ａの付勢力に抗して回転して開状態となり、内筒部材１０Ａが上死点に位置している状態では、蓋体１８は内筒部材１０Ａの外周面に当接しており、化粧用具２に影響を与えることなく開状態を維持する。
【００５４】
この状態で螺旋部材２９を回転させることで、内筒部材１０Ａはその位置に留まり、皿部材４Ａのみが上昇し、図１９に示すように化粧用具２が露出する。
【００５５】
皿部材４Ａが上死点付近まで上昇すると、係合部２７は皿部材用ガイド溝６Ａに形成された皿部材用傾斜部３２に入り込み、これに伴って皿部材４Ａ及び内筒部材１０Ａが周方向へ若干回転する。内筒部材１０Ａは、回転制御部８によりこれ以上上方へ移動できないため、上方への移動を伴わずに周方向に回転する。
【００５６】
そうすると、回転制御部８が傾斜部１５の下端部から円周方向に延在する係止部３１に入り込み、回転制御部８と係止部３１とが係合状態となる。
一方、係合部２７も屈曲部１４Ａの水平部１４ａに入り込み、皿部材４Ａも上死点に達する。
【００５７】
この状態においては、内筒部材１０Ａ等に上方から力が加わっても、係止部３１と回転制御部８が上下方向に当接している状態となっているため、係止部３１が上方からの荷重を受けることができ回転制御部８が傾斜部１５へ入り込むことを防止できる。
【００５８】
そのため、内筒部材１０Ａが傾斜部１５に沿って回転し、皿部材用ガイド溝６Ａと誘導溝１１に係合部２７が挟まれ、係合部２７の上下動が妨げられることを防止できる。
【００５９】
使用後、化粧用具２を収納する場合は、螺旋部材２９を逆方向に回転させて皿部材４Ａを下降させる。皿部材４Ａの係合部２７が前記皿部材用ガイド溝６Ａの垂直部６ａの下端部（水平部１４ａ）まで達すると、内筒部材１０Ａが係合部２７により下方へ押圧され、内筒部材１０Ａが皿部材４Ａと同調して下方へ移動し始める。そうすると、内筒部材１０Ａは身部材用切割り溝９Ａの傾斜部１５により回転し、その後回転することなく下限の位置まで移動し、通常状態に復帰する。
【００６０】
蓋体１８は内筒部材１０Ａが身部材７Ａの内部に入る際に付勢手段２４Ａにより回転し、身部材７Ａの上部開口を塞ぐ。
【００６１】
なお、前記第１の実施形態においても、皿部材用傾斜部３２を形成した皿部材用ガイド溝６Ａを採用するとともに、傾斜部１５の下端部から円周方向に延在する係止部３１を有する身部材用切割り溝９Ａを採用してもよい。このような身部材用切割り溝９Ａを前記第１の実施形態においても採用することにより、作動ピン５が皿部材用ガイド溝６Ａと誘導溝１１に挟まれ、作動ピン５の上下動が妨げられることを防止できる。
【００６２】
図２０乃至図２３に示す本発明を実施するための第３の形態において、前記本発明を実施するための第１の形態と主に異なる点は、上端部から所定間隔を隔てた下方に、前記作動ピン５が支持される少なくとも１つの保持手段３５が形成された誘導溝１１Ａを備える身部材７Ｂにした点で、このような身部材７Ｂを用いた収納容器１Ｂにしても前記本発明を実施するための第１の形態の収納容器と同様な作用効果が得られる。
【００６３】
この保持手段３５は、本実施形態では、横溝状に形成されており、この横溝状の保持手段３５に作動ピン５を係合させることで作動ピン５を支持する。
【００６４】
また、保持手段３５は、誘導溝１１Ａと前記皿部材用ガイド溝６とが略重る状態となり、皿部材４が上昇を始める位置と、誘導溝１１Ａの上端部の間に設けられるものであり、本実施形態では、本実施形態では、誘導溝１１Ａの上端部から所定間隔を隔てて、１つの横溝状の保持手段３５が形成されている。
【００６５】
ところで、この保持手段３５は複数個形成してもよく、保持手段３５としては本実施形態のように横溝上であってもよいし、例えばストッパー片等を誘導溝１１Ａに出没自在となるように設け、このストッパー片を誘導溝１１Ａに任意に突出させて作動ピン５を支持し、皿部材を所定の位置に保持できるように構成してもよい。
【００６６】
このような保持手段３５を形成することにより、図２２に示すように、皿部材４を上死点以外の位置でも上下移動しないように保持できるため、口紅等の化粧品２の突出量を調整して使用することができるとともに、化粧用具２、特に化粧ブラシを用いる場合、化粧ブラシの毛量を調整して使用することができる。
【産業上の利用可能性】
【００６７】
本発明の化粧用品収納容器は、化粧ブラシ等の化粧用具及び口紅やファンデーション等の化粧品を収納する容器を製造する分野や化粧品分野の産業で利用される。
【符号の説明】
【００６８】
１、１Ａ、１Ｂ：化粧用品収納容器、２：化粧用品、
３：係合穴、                      ４、４Ａ：皿部材、
５：作動ピン、                    ６、６Ａ：皿部材用ガイド溝、
７、７Ａ、７Ｂ：身部材、          ８：回転制御部、
９、９Ａ：身部材用切割り溝、      １０、１０Ａ：内筒部材、
１１、１１Ａ：誘導溝、            １２：隔壁、
１３：保持部、                    １４、１４Ａ：屈曲部、
１５：傾斜部、                    １６：ヘッド部、
１７：軸部、                      １８：蓋体、
１９：蓋体取付部、                ２０：一方の係止片、
２１：取付片、                    ２２：軸、
２３：他方の係止片、              ２４、２４Ａ：付勢手段、
２５：弾性体、
２７：係合部、                    ２８：螺旋溝、
２９：螺旋部材、                  ３０：ハカマ部材、
３１：係止部、                    ３２：皿部材用傾斜部、
３３：アーム挿入孔、              ３４：ねじりバネ、
３５：保持手段。
【図１】
2020156829.tif 000003
【図２】
2020156829.tif 000004
【図３】
2020156829.tif 000005
【図４】
2020156829.tif 000006
【図５】
2020156829.tif 000007
【図６】
2020156829.tif 000008
【図７】
2020156829.tif 000009
【図８】
2020156829.tif 000010
【図９】
2020156829.tif 000011
【図１０】
2020156829.tif 000012
【図１１】
2020156829.tif 000013
【図１２】
2020156829.tif 000014
【図１３】
2020156829.tif 000015
【図１４】
2020156829.tif 000016
【図１５】
2020156829.tif 000017
【図１６】
2020156829.tif 000018
【図１７】
2020156829.tif 000019
【図１８】
2020156829.tif 000020
【図１９】
2020156829.tif 000021
【図２０】
2020156829.tif 000022
【図２１】
2020156829.tif 000023
【図２２】
2020156829.tif 000024
【図２３】
2020156829.tif 000025